(57)【要約】【課題】従来よりも、収納中の物品を取り出すまでに掛かる時間を短縮し得る収納管理システムを提供する。【解決手段】収納管理システム１０は、収納対象の物品の物品収納情報を取得して記録媒体１３０に記録する物品収納情報取得部１１０と、収納機構２００に、収納対象の物品を収納部２１０へ収納させる収納制御部１２０と、取り出し対象の物品の物品特定用情報を取得する物品特定用情報取得部１４０と、変換対象となる情報を文字列データに変換するための、物品納入情報に基づいて生成された第１種辞書を記憶する第１種辞書記憶部１８０と、第１種辞書を用いて、物品特定用情報から、文字列データからなる物品特定用文字列情報を生成する生成部１７０と、物品特定用文字列情報と、記録媒体１３０中の物品収納情報とが所定関係を有する場合に、収納機構２００に、対応する物品を収納部２１０から取り出させる取り出し制御部１６０とを備える。【選択図】図１
2020063102.tif 000002
【特許請求の範囲】
【請求項１】
収納対象の物品のセンシングに基づくセンシング情報を含む、当該物品についての識別のための物品収納情報を、収納に際して取得して記録媒体に記録する第１取得部と、
収納機構に、収納対象の物品を収納部へ収納させる第１制御部と、
ユーザから取り出し対象の物品についての物品特定用情報を取得する第２取得部と、
変換対象となる情報を文字列データに変換するための第１種辞書を記憶する第１種辞書記憶部と、
前記第１種辞書を用いて、前記第２取得部によって取得された物品特定用情報から、前記取り出し対象の物品に係る文字列データからなる物品特定用文字列情報を生成する生成部と、
前記生成部によって生成された物品特定用文字列情報と、前記記録媒体中の一の物品についての物品収納情報とが所定関係を有する場合に、前記収納機構に、当該一の物品を前記収納部から取り出させる第２制御部とを備え、
前記第１種辞書は、前記第１取得部によって取得された物品納入情報に基づいて生成された辞書である
収納管理システム。
【請求項２】
前記物品特定用情報は、前記取り出し対象の物品に係る音声データを含み、
前記第１種辞書は、音声データを文字列データに変換するための辞書である
請求項１に記載の収納管理システム。
【請求項３】
前記物品特定用情報は、前記取り出し対象の物品に係る画像データを含み、
前記第１種辞書は、画像データを文字列データに変換するための辞書である
請求項１に記載の収納管理システム。
【請求項４】
前記物品特定用情報は、前記取り出し対象の物品に係る文字の筆跡データを含み、
前記第１種辞書は、筆跡データを文字列データに変換するための辞書である
請求項１に記載の収納管理システム。
【請求項５】
さらに、変換対象となる情報を文字列データに変換するための第２種辞書を記憶する第２種辞書記憶部を備え、
前記生成部は、前記第１種辞書を用いて前記物品特定用文字列情報の生成を行う場合において、前記第２取得部によって取得された物品特定用情報の中に、前記第１種辞書を用いて文字列データに変換できない情報が含まれているときには、当該情報に対して用いる辞書を、前記第１種辞書から前記第２種辞書へ替えて、前記物品特定用文字列情報の生成を行う
請求項１〜４のいずれか１項に記載の収納管理システム。
【請求項６】
さらに、ユーザを識別するユーザ識別部を備え、
前記第１種辞書には、複数の個人用辞書が含まれ、
前記生成部は、前記ユーザ識別部によってユーザが識別された場合に、当該識別されたユーザに応じて前記複数の個人用辞書の中から１つの個人用辞書を選択し、当該選択した個人用辞書を用いて、前記物品特定用文字列情報の生成を行う
請求項１〜５のいずれか１項に記載の収納管理システム。
【請求項７】
さらに、前記収納部に収納されている物品に係る情報以外の情報が、前記第１種辞書の変換対象となる情報から除外されるように、前記第１種辞書を更新する第１辞書更新部を備え、
前記生成部は、前記辞書更新部によって更新された前記第１種辞書を用いて、前記物品特定用文字列情報の生成を行う
請求項１〜６のいずれか１項に記載の収納管理システム。
【請求項８】
さらに、前記センシング情報の中に、前記第１種辞書を用いて行う文字列データへの変換の変換先となる文字列データに対応しない情報が含まれている場合に、当該情報に基づいて、当該第１種辞書を更新する第２辞書更新部を備える
請求項１〜７のいずれか１項に記載の収納管理システム。
【請求項９】
収納機構を用いて物品を収納して管理するための収納管理方法であって、
収納対象の物品のセンシングに基づくセンシング情報を含む、当該物品についての識別のための物品収納情報を、収納に際して取得する第１取得ステップと、
前記第１取得ステップで取得した物品収納情報を記録媒体に記録する記録ステップと、
前記収納機構に、収納対象の物品を収納部へ収納させる第１制御ステップと、
前記収納機構のユーザから取り出し対象の物品についての物品特定用情報を取得する第２取得ステップと、
変換対象となる情報を文字列データに変換するための第１種辞書を用いて、前記第２取得ステップで取得された物品特定用情報から、前記取り出し対象の物品に係る文字列データからなる物品特定用文字列情報を生成する生成ステップと、
前記生成ステップで生成された物品特定用文字列情報と、前記記録媒体中の一の物品についての物品収納情報とが所定関係を有する場合に、前記収納機構に、当該一の物品を前記収納部から取り出させる第２制御ステップとを含み、
前記第１種辞書は、前記第１取得ステップで取得された物品納入情報に基づいて生成された辞書である
収納管理方法。
【請求項１０】
収納機構を用いて物品を収納して管理するための収納管理処理をコンピュータに実行させるためのプログラムであって、
前記実行管理処理は、
収納対象の物品のセンシングに基づくセンシング情報を含む、当該物品についての識別のための物品収納情報を、収納に際して取得する第１取得ステップと、
前記第１取得ステップで取得した物品収納情報を記録媒体に記録する記録ステップと、
前記収納機構に、収納対象の物品を収納部へ収納させる第１制御ステップと、
前記収納機構のユーザから取り出し対象の物品についての物品特定用情報を取得する第２取得ステップと、
変換対象となる情報を文字列データに変換するための第１種辞書を用いて、前記第２取得ステップで取得された物品特定用情報から、前記取り出し対象の物品に係る文字列データからなる物品特定用文字列情報を生成する生成ステップと、
前記生成ステップで生成された物品特定用文字列情報と、前記記録媒体中の一の物品についての物品収納情報とが所定関係を有する場合に、前記収納機構に、当該一の物品を前記収納部から取り出させる第２制御ステップとを含み、
前記第１種辞書は、前記第１取得ステップで取得された物品納入情報に基づいて生成された辞書である
プログラム。
【発明の詳細な説明】
【技術分野】
【０００１】
本発明は、住宅等における衣類、生活用品等の収納を管理する収納管理システム、その収納管理システムで用いられる収納管理方法、及び、その収納管理システムでコンピュータに実行されるプログラムに関する。
【背景技術】
【０００２】
従来、物品を格納する自動倉庫に係る技術が知られている（特許文献１参照）。また、物品の外観画像等の情報とその物品の収納場所とを対応付けて管理し、外観画像の特徴を示すキーワード等で物品の収納場所を検索できるようにした収納管理装置が知られている（特許文献２参照）。
【先行技術文献】
【特許文献】
【０００３】
【特許文献１】特開２００１−００２２０８号公報
【特許文献２】特開２００３−３２１１０７号公報
【発明の概要】
【発明が解決しようとする課題】
【０００４】
一般に、収納中の物品を取り出そうとするときには、その物品を取り出すための動作を開始してから、その物品が取り出されるまでに掛かる時間は、より短い方がより好ましい。
【０００５】
そこで、本発明は、従来よりも、収納中の物品を取り出すまでに掛かる時間を短縮し得る収納管理システムを提供することを目的とする。また、本発明は、その収納管理システムで用いられる収納管理方法及びプログラムを提供することを目的とする。
【課題を解決するための手段】
【０００６】
上記目的を達成するために本発明の一態様に係る収納管理システムは、収納対象の物品のセンシングに基づくセンシング情報を含む、当該物品についての識別のための物品収納情報を、収納に際して取得して記録媒体に記録する第１取得部と、収納機構に、収納対象の物品を収納部へ収納させる第１制御部と、ユーザから取り出し対象の物品についての物品特定用情報を取得する第２取得部と、変換対象となる情報を文字列データに変換するための第１種辞書を記憶する第１種辞書記憶部と、前記第１種辞書を用いて、前記第２取得部によって取得された物品特定用情報から、前記取り出し対象の物品に係る文字列データからなる物品特定用文字列情報を生成する生成部と、前記生成部によって生成された物品特定用文字列情報と、前記記録媒体中の一の物品についての物品収納情報とが所定関係を有する場合に、前記収納機構に、当該一の物品を前記収納部から取り出させる第２制御部とを備え、前記第１種辞書は、前記第１取得部によって取得された物品納入情報に基づいて生成された辞書である。
【０００７】
また、本発明の一態様に係る収納管理方法は、収納機構を用いて物品を収納して管理するための収納管理方法であって、収納対象の物品のセンシングに基づくセンシング情報を含む、当該物品についての識別のための物品収納情報を、収納に際して取得する第１取得ステップと、前記第１取得ステップで取得した物品収納情報を記録媒体に記録する記録ステップと、前記収納機構に、収納対象の物品を収納部へ収納させる第１制御ステップと、前記収納機構のユーザから取り出し対象の物品についての物品特定用情報を取得する第２取得ステップと、変換対象となる情報を文字列データに変換するための第１種辞書を用いて、前記第２取得ステップで取得された物品特定用情報から、前記取り出し対象の物品に係る文字列データからなる物品特定用文字列情報を生成する生成ステップと、前記生成ステップで生成された物品特定用文字列情報と、前記記録媒体中の一の物品についての物品収納情報とが所定関係を有する場合に、前記収納機構に、当該一の物品を前記収納部から取り出させる第２制御ステップとを含み、前記第１種辞書は、前記第１取得ステップで取得された物品納入情報に基づいて生成された辞書である。
【０００８】
また、本発明の一態様に係るプログラムは、収納機構を用いて物品を収納して管理するための収納管理処理をコンピュータに実行させるためのプログラムであって、前記実行管理処理は、収納対象の物品のセンシングに基づくセンシング情報を含む、当該物品についての識別のための物品収納情報を、収納に際して取得する第１取得ステップと、前記第１取得ステップで取得した物品収納情報を記録媒体に記録する記録ステップと、前記収納機構に、収納対象の物品を収納部へ収納させる第１制御ステップと、前記収納機構のユーザから取り出し対象の物品についての物品特定用情報を取得する第２取得ステップと、変換対象となる情報を文字列データに変換するための第１種辞書を用いて、前記第２取得ステップで取得された物品特定用情報から、前記取り出し対象の物品に係る文字列データからなる物品特定用文字列情報を生成する生成ステップと、前記生成ステップで生成された物品特定用文字列情報と、前記記録媒体中の一の物品についての物品収納情報とが所定関係を有する場合に、前記収納機構に、当該一の物品を前記収納部から取り出させる第２制御ステップとを含み、前記第１種辞書は、前記第１取得ステップで取得された物品納入情報に基づいて生成された辞書である。
【発明の効果】
【０００９】
本発明によれば、従来よりも、収納中の物品を取り出すまでに掛かる時間を短縮し得る。
【図面の簡単な説明】
【００１０】
【図１】実施の形態に係る収納管理システムの概略構成図である。
【図２】収納管理システムの適用例としての住宅を示す図である。
【図３】収納管理システムで用いられる、物品についての物品収納情報の一例を示す図である。
【図４】収納機構による収納管理に用いられる収納管理情報の一例を示す図である。
【図５】収納管理システムで用いられる取り出し情報の一例を示す図である。
【図６】収納管理システムで用いられる第２種辞書の一例を示す図である。
【図７Ａ】収納管理システムで用いられる第１種辞書の一例を示す図である。
【図７Ｂ】収納管理システムで用いられる第１種辞書の一例を示す図である。
【図８】収納管理システムで用いられる過去に収納した物品についての物品収納情報の一例を示す図である。
【図９】収納管理システムによる収納処理の一例を示すフローチャートである。
【図１０】収納処理の一部である第２辞書更新処理の一例を示すフローチャートである。
【図１１】収納管理システムによる取り出し処理の一例を示すフローチャートである。
【図１２】取り出し処理の一部である生成処理の一例を示すフローチャートである。
【図１３】取り出し処理の一部である選出処理の一例を示すフローチャートである。
【図１４】取り出し処理の一部である第１辞書更新処理の一例を示すフローチャートである。
【発明を実施するための形態】
【００１１】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
以下、本発明の一実施形態に係る収納管理方法を用いる収納管理システム１０について説明する。
【００１３】
収納管理システム１０は、住宅等の施設において衣類、生活用品等といった物品を、使用しない場合に保管場所としての収納部に収納して、使用する必要が生じた場合に収納部から取り出すためのシステムである。本実施の形態では、収納管理システム１０を住宅に適用し、物品の収納及び取り出しを、住宅の住人であるユーザが大きな負担を負わずに行えるようにする収納管理システム１０について説明する。
【００１４】
［１．  収納管理システム１０の構成］
図１は、本実施の形態に係る収納管理システム１０を示す概略構成図である。
【００１５】
同図に示すように、収納管理システム１０は、物品収納情報取得部１１０と収納制御部１２０と記録媒体１３０と物品特定用情報取得部１４０と選出部１５０と取り出し制御部１６０と生成部１７０と第１種辞書記憶部１８０と第２種辞書記憶部１８１と第１辞書更新部１８５と第２辞書更新部１８６とユーザ識別部１９０と収納機構２００と収納部２１０とを備える。
【００１６】
［１−１．  物品の流れ］
まず、収納管理システム１０における物品の流れに関わる構成について説明する。なお、収納対象となる物品は、衣類、生活用品等に限られず、収納部２１０に収納できる有体物であればいかなる物であってもよい。
【００１７】
収納部２１０は、物品の収納場所（つまり保管場所）である。また、図１に示す物品授受領域２１ｘ、２１ｙは、収納管理システム１０（具体的には収納機構２００）とユーザと間で物品の授受が行われる場所（住宅内の一領域）である。
【００１８】
収納機構２００は、物品を移動させるための機構、例えばピッキング機構、搬送機構（コンベア等）等と、物品の移動（移送）の制御のための制御装置（コンピュータ等）とを含み、物品授受領域２１ｘ、２１ｙと収納部２１０との間での物品の移送を行う。収納機構２００における物品を移動させるための構成として、いかなる構成を用いてもよい。収納機構２００は、物品の移動の制御のための制御装置によって、収納部２１０における各物品の保管位置を管理し、各物品の保管位置と物品授受領域２１ｘ、２１ｙとの間で各物品を移動させるようにピッキング機構等を制御する。各物品の保管位置は、例えば物品を識別する情報である物品ＩＤとその物品の保管位置とを対応付けた収納管理情報を用いて、制御装置において管理される。これにより、収納管理システム１０を利用するユーザは、物品の収納及び取り出しにおいて収納部２１０内に直接的にアクセスする必要がなく、収納部２１０内の物品の保管位置等を記憶する必要がない。ここでは、説明の便宜上、物品授受領域２１ｘは、ユーザが収納したい物品を入れる領域（言わば収納対象物品授受領域）であり、物品授受領域２１ｙは、収納機構２００の搬送によって、ユーザが取り出したい物品が出現する領域（言わば取り出し対象物品授受領域）であることとして説明する。物品授受領域２１ｘと物品授受領域２１ｙとは一体となっていてもよい。また、住宅において物品授受領域２１ｘ（或いは物品授受領域２１ｙ）は、互いに異なる場所に（つまり互いに分離して）複数存在してもよい。
【００１９】
収納管理システム１０では、ユーザによって物品授受領域２１ｘに物品が入れられる度にその物品を収納機構２００によって収納部２１０に移送して保管する。そして、ユーザが、いずれかの物品を必要とする場合に、マイク（収音装置）等を用いて音声入力することで、物品特定用情報取得部１４０に、その必要な物品の特定のための物品特定用情報を取得させる。これにより、収納管理システム１０は、収納機構２００によって収納部２１０からその物品を物品授受領域２１ｙへと移送する。
【００２０】
図２は、住宅２０に収納管理システム１０を適用した例を示す。同図の例では、収納部２１０が住宅２０の床下（１階の部屋の下等）に設けられており、物品授受領域２１ａ〜２１ｄが、それぞれ、１階の玄関、浴室、キッチン、リビングルームに含まれ、物品授受領域２１ｆ〜２１ｈが、それぞれ、２階の洋室、和室、寝室に含まれる。物品授受領域２１ａ〜２１ｈのそれぞれは、上述の物品授受領域２１ｘ（収納対象物品授受領域）及び物品授受領域２１ｙ（取り出し対象物品授受領域）の一方、或いは、両方に相当する。図２の例において、収納機構２００は、物品授受領域２１ａ〜２１ｈのそれぞれと収納部２１０との間で物品を移送するための構成（ピッキング機構等）を有することになる。
【００２１】
［１−２．  情報処理に係る構成］
以下、収納管理システム１０において主として情報処理を担う構成、つまり、図１に示す物品収納情報取得部１１０、収納制御部１２０、記録媒体１３０、物品特定用情報取得部１４０、選出部１５０、取り出し制御部１６０、生成部１７０、第１種辞書記憶部１８０、第２種辞書記憶部１８１、第１辞書更新部１８５、第２辞書更新部１８６、及びユーザ識別部１９０について説明する。物品収納情報取得部１１０、収納制御部１２０、記録媒体１３０、物品特定用情報取得部１４０、選出部１５０、取り出し制御部１６０、生成部１７０、第１種辞書記憶部１８０、第２種辞書記憶部１８１、第１辞書更新部１８５、第２辞書更新部１８６、及びユーザ識別部１９０は、例えばコンピュータシステムで構成される。このコンピュータシステムは、プロセッサ（マイクロプロセッサ）、メモリ、通信インタフェース（通信回路等）、ユーザインタフェース、センサ等を含む。また、このコンピュータシステムは、ハードディスク装置等を備え得る。ユーザインタフェースは、例えば、ＬＣＤ（Liquid Crystal Display）等のディスプレイ、及び、キーボード、タッチパネル等の入力装置を含む。メモリは、ＲＯＭ、ＲＡＭ等であり、例えば不揮発性メモリを含んでいてもよい。プロセッサは、メモリに格納されたプログラムを実行することにより通信インタフェース、ディスプレイ等を制御する処理を行う。メモリには、プロセッサにその処理を実行させるためのプログラムが格納されている。センサは、例えば、イメージセンサ（カメラ）、重量センサ、マイク（収音装置）等である。このコンピュータシステムは、ユーザインタフェース、センサ等により、音声、映像、文字その他の各種情報を取得し得る。また、このコンピュータシステムの一部に、ユーザに携帯されるスマートフォン等の携帯情報端末を含めることとしてもよい。
【００２２】
［１−２−１．  物品収納情報取得部１１０］
物品収納情報取得部１１０は、ユーザインタフェース、センサ、プログラムを実行するプロセッサ等により実現される。物品収納情報取得部１１０は、ユーザが収納したい物品を物品授受領域２１ｘに入れた際等といった、物品の収納の際に、その物品についての識別のための物品収納情報を取得して、記録媒体１３０に記録する。物品についての物品収納情報は、例えば、物品の属性、物品を収納するユーザ、物品の収納時等の情報である。
【００２３】
具体的には、物品収納情報取得部１１０は、物品の収納の際に、収納対象の物品を各種センサでセンシングし、物品収納情報の１つとして、そのセンシングの結果に基づく情報である物品センシング情報を取得する。例えば、物品収納情報取得部１１０は、物品をイメージセンサで撮像して生成される画像の解析処理（既知の各種物品の画像特徴との照合等）により物品の種別、色等を特定して、その物品の種別（物品名等）、色等を物品センシング情報に含める。また、例えば、物品収納情報取得部１１０は、物品を重量センサで測定して、その物品の重量を物品センシング情報に含める。なお、物品収納情報取得部１１０は、物品授受領域２１ｘに存在する物品のセンサによるセンシング結果に基づく情報を物品センシング情報として取得してもよい。または、収納機構２００が物品を収納部２１０へと移送（搬送）している途中においてセンサでセンシングされた結果に基づく情報を物品センシング情報として取得してもよい。物品をセンシングするセンサは、例えば、物品授受領域２１ｘの近辺或いは物品授受領域２１ｘから収納部２１０迄の物品の搬送経路の近辺に設けられることが有用である。
【００２４】
また、物品収納情報取得部１１０は、ユーザが収納したい物品を物品授受領域２１ｘに入れた際に、物品に関する情報のユーザによる入力を受け付けることで入力情報を取得してもよい。なお、物品収納情報取得部１１０を実現するユーザインタフェースは、例えば、物品授受領域２１ｘの近辺に設置されることが有用であるが、その他の場所に設置されてもよい。また、ユーザに携帯される携帯情報端末を、物品収納情報取得部１１０を実現するユーザインタフェース等として用いてもよい。ユーザによる入力は、キーボード、タッチパネル等の入力装置によって受け付けられてもよいし、マイク等の収音装置等によって受け付けられてもよい。例えば、物品収納情報取得部１１０は、収音装置で受け付けた、ユーザに入力された音声を、音声認識技術を用いて文字列データに変換し、その文字列データを、入力情報として取得し得る。
【００２５】
また、物品収納情報取得部１１０は、ユーザが収納したい物品を物品授受領域２１ｘに入れた際に、ユーザ識別部１９０（後述）により生成される、そのユーザを識別するためのユーザ識別情報を取得する。
【００２６】
また、物品収納情報取得部１１０は、ユーザが収納したい物品を物品授受領域２１ｘに入れた際に、その物品授受領域２１ｘの場所を特定することで領域情報を取得してもよい。領域情報は、図２に示す住宅２０の１階或いは２階の物品授受領域２１ａ〜２１ｈを含む各領域（玄関、浴室、キッチン、リビングルーム、寝室等の場所）を識別する情報である。
【００２７】
また、物品収納情報取得部１１０は、ユーザが収納したい物品を物品授受領域２１ｘに入れた際における時間（日時等）を時計等により特定することで、その時間を示す収納時情報を取得してもよい。
【００２８】
また、物品収納情報取得部１１０は、物品の収納の際に、その物品についての識別情報である物品ＩＤを取得する。物品収納情報取得部１１０は、物品の収納に際して、物品ＩＤをその物品から読み取ることで取得してもよいし、一定基準（物品毎に物品ＩＤを異ならせるための基準）に基づいてその物品についての物品ＩＤを生成することで物品ＩＤを取得してもよい。また、物品収納情報取得部１１０は、物品の収納に際して、収納機構２００の制御装置がその物品を保管した位置を管理するために用いる物品ＩＤをその制御装置から取得してもよい。
【００２９】
物品収納情報取得部１１０は、物品の収納に際して、その物品についての識別のための物品収納情報を取得すると、その物品についての物品収納情報を記録媒体１３０に記録する。物品収納情報取得部１１０が取得する物品収納情報は、物品センシング情報及び物品ＩＤであり、上述した入力情報、ユーザ識別情報、領域情報、収納時情報等を含んでもよい。
【００３０】
また、物品収納情報取得部１１０は、ユーザが収納したい物品を物品授受領域２１ｘに入れた際に、収納制御部１２０に通知して収納制御を行わせる。
【００３１】
なお、物品収納情報取得部１１０は、物品の収納に際して、その物品と同一性を有する、過去に収納して取り出した物品についての記録媒体１３０中の物品収納情報の少なくとも一部を、その収納する物品についての物品収納情報の一部として取り込むこととしてもよい。また、物品収納情報取得部１１０は、物品の収納に際して、その物品と同一性を有する、過去に収納して取り出した物品についての記録媒体１３０中の物品収納情報に対応付けられて記録媒体１３０に記録された取り出し情報（後述）を、その収納する物品についての物品収納情報の一部として取り込むこととしてもよい。
【００３２】
［１−２−２．  収納制御部１２０］
収納制御部１２０は、通信インタフェース、プログラムを実行するプロセッサ等により実現され、収納機構２００に、収納対象の物品を収納部２１０へ収納（保管）させる制御を行う。収納制御部１２０は、例えば、住宅２０に、ユーザが収納対象の物品を入れるための物品授受領域２１ｘが複数存在する場合には、物品収納情報取得部１１０が取得した領域情報を、収納機構２００の制御装置に通知することでこの制御を行う。この制御により、収納機構２００では制御装置がピッキング機構等を制御して、収納対象の物品が入れられた物品授受領域２１ｘ（例えば領域情報が示す領域）から収納部２１０へその物品を移送させて、その物品を保管する。
【００３３】
物品の収納に際して、収納制御部１２０が収納対象の物品について収納機構２００に収納させる制御を行う時点と、物品収納情報取得部１１０が収納対象の物品についての物品収納情報を取得する時点とは、いずれが先であってもよい。
【００３４】
なお、物品収納情報取得部１１０が収納対象の物品についての物品ＩＤを取得した後に収納制御部１２０がその物品の収納の制御を行う方式を用いる場合においては、収納制御部１２０はその物品ＩＤを、収納機構２００の制御装置に伝達する。収納機構２００の制御装置は、例えば、予め定められたアルゴリズムに基づいて保管位置を定めて、ピッキング機構等を制御して、収納対象の物品を収納部２１０のその保管位置に移送させる。そして、制御装置は、収納管理情報において、その物品の物品ＩＤと、その物品の保管位置とを対応付けて、管理する。また、物品収納情報取得部１１０が収納対象の物品についての物品ＩＤを取得する前に収納制御部１２０がその物品の収納の制御を行う方式を用いる場合においては、収納制御部１２０は物品ＩＤを伝達せずに収納機構２００を制御する。この場合には、収納機構２００の制御装置は、例えば、予め定められたアルゴリズムに基づいて収納対象の物品の保管位置とその物品の物品ＩＤとを定めて、ピッキング機構等を制御して、その物品を収納部２１０のその保管位置に移送させる。そして、制御装置は、収納管理情報において、その物品の物品ＩＤと、その物品の保管位置とを対応付けて管理する。そして、収納機構２００は、その定めた物品ＩＤを、例えば収納制御部１２０を介して伝達して、物品収納情報取得部１１０に取得させる。この場合には、物品収納情報取得部１１０では取得した物品ＩＤは収納対象の物品についての物品収納情報の一部として記録媒体１３０に記録する。いずれの方式を用いても、収納機構２００の制御装置では物品についての物品ＩＤとその物品の保管位置とが対応付けられて管理される。このため、収納管理システム１０では、物品ＩＤを記録媒体１３０で記憶（保持）し、取り出し制御部１６０が取り出すべき物品の物品ＩＤを収納機構２００に与えることにより、収納機構２００に、収納部２１０からその物品を取り出させることが可能となる。
【００３５】
［１−２−３．  記録媒体１３０］
記録媒体１３０は、情報を記録するためのハードディスク、不揮発性メモリ等である。記録媒体１３０において、記録内容となる情報は、データベースを構成するように編成されてもよい。記録媒体１３０には、物品収納情報取得部１１０により物品毎の収納に際して、その各物品についての物品収納情報が記録される。
【００３６】
図３は、物品収納情報取得部１１０により記録媒体１３０に記録された、１つの物品についての物品収納情報の一例を示す。同図の例は、物品収納情報が、物品センシング情報、入力情報、ユーザ識別情報、領域情報、収納時情報、物品ＩＤ等を含んでいることを示す。
【００３７】
図３の例では、収納対象となった物品が、２００ｇの青いＴシャツであることが物品センシング情報により示されている。この物品センシング情報は、例えば、その物品をイメージセンサで撮像して画像解析を行うことでＴシャツであり青色であることが認識された結果、及び、その物品について重量センサで２００ｇと測定された結果等に基づいている。物品センシング情報は、例えば、イメージセンサでの撮像により生成された画像そのものを含み得る。
【００３８】
また、図３の例では、Ａ大会参加記念Ｔシャツ等という入力情報が、物品（青いＴシャツ）の収納の際にユーザに入力され、物品収納情報取得部１１０により取得されて記録媒体１３０に記録されたことを示している。ユーザは、文字、音声等の各種入力方法を用いて、収納する物品についての１つ又は複数の情報（物品の属性、物品と関連する様々な情報等）を入力し得る。
【００３９】
また、図３の例では、物品（青いＴシャツ）を収納したユーザ（物品授受領域２１ｘにその物品を入れたユーザ）が、住宅２０で暮らす住人（家族）の特定の一人（この例では父）であることがユーザ識別情報により示されている。また、図３の例では、物品（青いＴシャツ）を収納した場所（物品授受領域２１ｘの場所）が、住宅２０のリビングルームであることが、領域情報により示されている。また、図３の例では、物品（青いＴシャツ）を収納した時間が、８月８日１８時であることが、収納時情報により示されている。
【００４０】
また、図３の例は、物品（青いＴシャツ）についての物品ＩＤが０００２であることを示している。
【００４１】
なお、図３は、物品（青いＴシャツ）が初めて収納管理システム１０（具体的には収納機構２００）により収納されたときの例を示しているので、物品収納情報において取り出し情報の内容は、有効ではない。取り出し情報については後に説明する。
【００４２】
図４は、収納機構２００が物品の保管位置を管理するために用いる収納管理情報の一例を示す。収納機構２００の制御装置は、収納管理情報を記録媒体１３０に記録し、随時記録内容を更新し得る。なお、記録媒体１３０は、物理的には一体の記録媒体であっても複数の記録媒体の集合であってもよい。即ち、物品収納情報と収納管理情報とはそれぞれ、物理的に一体の記録媒体における別個の記録領域に記録されてもよいし、物理的に別個の記録媒体に記録されてもよい。
【００４３】
収納管理情報は、物品ＩＤと保管位置とを対応付けている。この保管位置は、収納部２１０における物品を保管可能な複数の場所（スペース）を区別するための識別情報（図４の例では、保管場所を区画したブロックを示すブロック識別子、及び、ブロック内のスペース識別番号）で表される。図４の収納管理情報は、収納部２１０において、物品ＩＤが０００１〜０００４の４つの物品が、物品ＩＤに対応する保管位置に保管されている状態を表している。
【００４４】
［１−２−４．  物品特定用情報取得部１４０］
物品特定用情報取得部１４０は、ユーザインタフェース、収音装置、プログラムを実行するプロセッサ等により実現される。物品特定用情報取得部１４０は、ユーザから取り出し対象の物品についての物品特定用情報を取得する。物品特定用情報は、例えば、取り出し対象の物品に何らかの関連を有する音声データを含む。
【００４５】
なお、物品特定用情報取得部１４０を実現するユーザインタフェース或いは収音装置は、例えば、ユーザが取り出したい物品を受け取れる場所である物品授受領域２１ｙの近辺に設置されることが有用であるが、その他の場所に設置されてもよい。また、ユーザに携帯される携帯情報端末を、物品特定用情報取得部１４０を実現するユーザインタフェース、収音装置等として用いてもよい。物品特定用情報取得部１４０により取得された物品特定用情報は、生成部１７０に通知される。
【００４６】
なお、物品特定用情報取得部１４０は、ユーザから取り出し対象の物品についての物品特定用情報を取得する際に、その取得の時に関する時間情報を取得することとしてもよいし、ユーザ識別部１９０からそのユーザを識別するユーザ識別情報を取得することとしてもよい。この時間情報と、ユーザ識別情報と、取り出すべき物品の特定用の物品特定用情報とは、取り出し情報を構成する。この取り出し情報は、ユーザが収納管理システム１０を用いてその物品を取り出した後に再び収納して将来に再び取り出す場合に、その取り出すべき物品を選出するための検索に利用され得る情報である。図５に取り出し情報の一例を示す。図５の例では、物品特定用情報取得部１４０が物品特定用情報として、青、記念シャツ等の音声を取得し、ユーザ識別情報として父という情報を取得し、時間情報として、８月２２日６時という日時を取得したことを示している。この例は、例えば、８月２２日６時に、物品授受領域２１ｙの付近の音声入力装置に、青い記念シャツという音声を入力した、物品を取り出したいユーザが、住宅２０で暮らす住人（家族）の特定の一人（この例では父）である場合の例である。物品特定用情報取得部１４０は、この取り出し情報を記録媒体１３０に記録する取り出し情報記録機能を有することとしてもよい。
【００４７】
［１−２−５．  ユーザ識別部１９０］
ユーザ識別部１９０は、ユーザインタフェース、センサ、プログラムを実行するプロセッサ等により実現される。ユーザ識別部１９０は、ユーザを識別する。そして、そのユーザを識別するためのユーザ識別情報を生成する。
【００４８】
ユーザ識別部１９０は、例えば、イメージセンサでユーザを撮像して作成される画像の画像認識処理（予め登録済みの住宅２０の各住人の画像特徴との照合等）によりユーザを識別しても良い。或いは、収音装置で受け付けたユーザの音声の音響分析処理（予め登録済みの住宅２０の各住人の声紋特徴との照合等）によりユーザを識別してもよい。或いは、タッチパネルで入力されるユーザのサインの筆跡分析処理（予め登録済みの住宅２０の各住人の筆跡特徴との照合等）によりユーザを識別してもよい。或いは、キーボードで受け付けたユーザＩＤ、パスワード等によりユーザを識別してもよい。
【００４９】
［１−２−６．  第２種辞書記憶部１８１］
第２種辞書記憶部１８１は、情報を記録するためのハードディスク、不揮発性メモリ等といった記録媒体、プログラムを実行するプロセッサ等によって実現される。第２種辞書記憶部１８１は、変換対象となる情報を文字列データに変換するための第２種辞書を記憶する。ここでは、変換対象となる情報が、音声データであるとして説明する。
【００５０】
図６は、第２種辞書記憶部１８１に記憶される第２種辞書の一例である第２辞書Ａのデータ構造を示す図である。
【００５１】
同図に示すように、第２種辞書Ａは、音声データと、文字列データである単語とが対応付けられたテーブルとなっている。
【００５２】
第２種辞書は、音声認識処理において、音声データを文字列データへ変換する辞書として利用される。
【００５３】
例えば、後述するように、生成部１７０は、その音声認識処理において、各単語単位に区切られた音声データ（以下、「単語音声データ」とも呼ぶ。）について、第２種辞書に含まれる音声データのそれぞれに対してマッチング処理を行う。
【００５４】
ここでは、第２種辞書は、一般的に使用される単語を網羅的にカバーしている辞書とする。
【００５５】
このため、生成部１７０は、音声認識処理において、音声データを文字列データへ変換する辞書として第２種辞書を用いることで、通常の会話で用いられる単語の音声データについての変換ミスの頻度を、比較的低く抑えることができる。一方で、マッチング処理の対象となる音声データの数が比較的多いことにより、音声認識処理に掛かる時間が比較的長くなる。
【００５６】
第２種辞書記憶部１８１は、第２種辞書を１つ記憶するとしてもよいし、複数記憶するとしてもよい。
【００５７】
［１−２−７．  第１種辞書記憶部１８０］
第１種辞書記憶部１８０は、情報を記録するためのハードディスク、不揮発性メモリ等といった記録媒体、プログラムを実行するプロセッサ等によって実現される。第１種辞書記憶部１８０は、変換対象となる情報を文字列データに変換するための第１種辞書を記憶する。ここでは、変換対象となる情報が、音声データであるとして説明する。
【００５８】
第１種辞書記憶部１８０は、ユーザ識別部１９０によって識別可能なユーザそれぞれに対応する、複数の個人用第１種辞書を記憶する。
【００５９】
図７Ａ、図７Ｂは、それぞれ、第１種辞書記憶部１８０に記憶される個人用第１種辞書の一例である父用第１種辞書と母用第１種辞書とのデータ構造を示す図である。
【００６０】
図７Ａ、図７Ｂに示すように、個人用第１種辞書は、音声データと、文字列データである単語と、バリッドビットとが対応付けられたテーブルとなっている。
【００６１】
図６、図７Ａ、図７Ｂからわかるように、個人用第１種辞書は、第２種辞書に対して、バリッドビットの行が追加されるようにカスタマイズされている。
【００６２】
より具体的には、個人用第１種辞書は、収納部２１０に収容されている物品の物品センシング情報に含まれる単語（文字列）のみについて、対応するバリッドビットが“１”となるようにカスタマイズされている。また、ここでは、父用第１種辞書は、対応するバリッドビットが“１”となり得る単語が、ユーザ識別情報が「父」となる物品収納情報に含まれる単語のみに限定されている。そして、母用第１種辞書は、対応するバリッドビットが“１”となりうる単語が、ユーザ識別情報が「母」となる物品収納情報に含まれる単語のみに限定されている。
【００６３】
このように、各個人用第１種辞書は、物品収納情報取得部１１０によって取得された物品収納情報に基づいて生成された辞書となっている。
【００６４】
第１種辞書は、音声認識処理において、音声データを文字列データへ変換する辞書として利用される。
【００６５】
例えば、後述するように、生成部１７０は、その音声認識処理において、各単語音声データについて、第１種辞書に含まれる音声データのそれぞれに対してマッチング処理を行う。
【００６６】
このため、生成部１７０は、音声認識処理において、音声データを文字列データに変換するための辞書として第１種辞書を用いることで、第２種辞書を用いる場合に比べて、マッチング処理の対象となる音声データの数を抑制することができる。これにより、生成部１７０は、音声データを文字列データに変換するための辞書として第１種辞書を用いることで、第２種辞書を用いる場合よりも、音声認識処理に掛かる時間を、低減することができる。
【００６７】
第１種辞書は、その初期状態において、全てのバリッドビットが“０”となっている。
【００６８】
そして、第１種辞書は、後述するように、第１辞書更新部１８５と第２辞書更新部１８６とによって、収納部２１０に収容されている物品の物品センシング情報に含まれる単語のみについて、対応するバリッドビットが“１”となるように逐次更新される。
【００６９】
［１−２−８．  生成部１７０］
生成部１７０は、プログラムを実行するプロセッサ等により実現される。生成部１７０は、第１種辞書記憶部１８０に記憶される第１種辞書を用いて、物品特定用情報取得部１４０によって取得された物品特定用情報から、取り出し対象の物品に係る物品特定用文字列情報を生成する。より具体的には、生成部１７０は、ユーザ識別部１９０によってユーザが識別されると、第１種辞書記憶部１８０に記憶される複数の第１種辞書の中から、その識別されたユーザに対応する個人用第１種辞書を選択する。そして、物品特定用情報取得部１４０によって取得された、音声データからなる物品特定用情報に対して、選択した個人用第１種辞書を用いて音声認識処理を行い、文字列データからなる物品特定用文字列情報を生成する。
【００７０】
例えば、生成部１７０は、その音声認識処理において、対象となる音声データに対して文法解析等を行って、その音声データを、単語音声データに分割する。そして、各単語音声データについて、第１種辞書に含まれる音声データのうち、対応するバリッドビットが“１”である音声データそれぞれに対してマッチング処理を行い、マッチングした各単語音声データを、文字列データへと変換する。そして、文法解析の結果と、変換された文字列データとを用いて、物品特定用文字列情報を生成する。
【００７１】
また、生成部１７０は、物品特定用情報の中に、第１種辞書を用いて文字列データに変換できない音声データが含まれているときには、この音声データに対して用いる辞書を、第１種辞書から第２種辞書へ替えて、上記物品特定用文字列情報の生成を行う。すなわち、第２種辞書に含まれる全ての音声データそれぞれに対してマッチング処理を行って、上記物品特定用文字列情報の生成を行う。
【００７２】
生成部１７０は、物品特定用文字列情報を生成すると、その物品特定用文字列情報を、選出部１５０に通知する。
【００７３】
［１−２−９．  選出部１５０］
選出部１５０は、プログラムを実行するプロセッサ等により実現される。選出部１５０は、生成部１７０から通知された物品特定用文字列情報を用いて記録媒体１３０の物品収納情報の集合を対象とした検索（照合等）を行うことで取り出すべき物品についての物品収納情報を選出する選出処理を行う。即ち、選出部１５０は、記録媒体１３０に記録された物品収納情報のうち、生成部１７０から通知された物品特定用文字列情報との間で所定関係を有する物品収納情報を選出する。
【００７４】
具体的には、選出部１５０は、例えば、記録媒体１３０における各物品についての各物品収納情報に順次着目して、着目した１つの物品についての物品収納情報に所定の第２変換を施して第２変換情報を生成する。また、選出部１５０は、通知された物品特定用情報に所定の第１変換を施して第１変換情報を生成する。そして選出部１５０は、第１変換情報と第２変換情報とが一致する場合に、その着目した１つの物品についての物品収納情報を選出する。このように選出された物品収納情報は、生成部１７０から通知された物品特定用文字列情報との間で所定関係を有する物品収納情報の一例である。第１変換及び第２変換としていかなる変換を定めてもよい。第２変換情報は、例えば、物品収納情報における物品センシング情報の項目毎（物品の種別、色、重量等毎）の成分、入力情報の成分、ユーザ識別情報の成分、領域情報の成分、収納時情報の成分、取り出し情報の項目毎の成分等といった成分毎について、各種辞書等の対応表或いは関数等を用いて変換された言葉（例えばキーワード）等である。また、第１変換情報は、例えば、物品特定用文字列情報について、各種辞書等の対応表或いは関数等を用いて変換された言葉（例えばキーワード）等である。例えば、第１変換或いは第２変換において、記念Ｔシャツという文字列を、記念シャツと変換してもよいし、８月８日１８時という日時を、夏、或いは、夕方と変換してもよい。選出部１５０は、１つの物品収納情報を変換した第１変換情報と、第２変換情報とが一致する場合に、その物品収納情報を選出する。なお、第１変換情報と、第２変換情報とが略一致（例えば予め定めた類似範囲内）の場合を一致すると看做してもよい。また、第１変換情報或いは第２変換情報は、複数の成分を有するベクトルであってもよく、この場合に、１つの成分同士が一致すれば、第１変換情報及び第２変換情報が一致すると看做してもよい。
【００７５】
選出部１５０は、記録媒体１３０に記録された各物品についての各物品収納情報のうち、選出した１つ又は複数の物品収納情報における物品ＩＤを、取り出し制御部１６０に通知する。なお、選出部１５０は、複数の物品収納情報を選出した場合に、所定の限定方法により１つの物品収納情報に限定して、その１つの物品収納情報における物品ＩＤを、取り出し制御部１６０に通知することとしてもよい。限定方法としていかなる方法を用いてもよい。限定方法としては、例えば、第１変換情報と第２変換情報とが複数の成分を有するベクトルである場合において、一致（或いは略一致）の成分の数が最も多くなった物品収納情報に限定することとしてもよい。また、例えば物品収納情報の項目毎に重要度を区別して、その区別に従って第２変換情報の成分毎に重要度を定め、第１変換情報のいずれかと一致した第２変換情報の成分の重要度の総和が最も大きくなった物品収納情報に限定することとしてもよい。また、限定方法として、ディスプレイを含むタッチパネル等のユーザインタフェースを介して、選出された複数の物品収納情報を表す情報をユーザに提示してユーザの選択を受け付けることとしてもよい。
【００７６】
例えば、図５の例のように青、記念シャツという音声等のキーワードが物品特定用文字列情報である場合に、選出部１５０により、例えば青、記念シャツ（或いはＴシャツ）等の成分を有する第１変換情報が生成され得る。また、記録媒体１３０中の物品収納情報のうち、物品（青いＴシャツ）についての物品収納情報（図３参照）に第２変換が施されると、例えば、Ｔシャツ、青、２００グラム、Ａ会、記念シャツ等の成分を有する第２変換情報が生成され得る。この場合には、第１変換情報と第２変換情報とは、例えば、青、Ｔシャツ、記念シャツ等の成分が一致する。このため、選出部１５０にその物品（青いＴシャツ）についての物品収納情報が選出される可能性があり、例えば、選出部１５０はその物品収納情報を選出してその物品収納情報における物品ＩＤを取り出し制御部１６０に通知する。
【００７７】
なお、生成部１７０は、選出部１５０で所定の限定方法等により記録媒体１３０中の１つの物品収納情報を選出するのと同様の方法で、取り出される物品についての物品収納情報を選出する。そして、生成部１７０は、その選出した物品収納情報に対応付けて取り出し情報（時間情報、ユーザ識別情報、物品特定用情報等）を記録媒体１３０に記録することで、上述の取り出し情報記録機能を実現し得る。取り出し対象の物品を特定するための物品特定用文字列情報を含む取り出し情報が対応付けられた、その物品についての記録媒体１３０中の物品収納情報は、一旦取り出されたその物品が再び収納される際に、物品収納情報取得部１１０により、その収納される物品についての物品収納情報の一部として取り込まれる。その際にその取り出し情報も、物品収納情報取得部１１０により、その収納される物品についての物品収納情報の一部として取り込まれる。図８は、過去に収納された物品についての物品収納情報と、取り出し情報とを取り込んで物品収納情報取得部１１０が記録媒体１３０に記録した物品収納情報の一例を示す。図８の例は、取り出し情報（図５参照）と、同一の物品が過去に収納された際に記録媒体１３０に記録された物品収納情報（図３参照）とを取り込んだ、収納対象の物品（青いＴシャツ）についての物品収納情報の一例である。このように記録媒体１３０に記録される、物品についての物品収納情報の内容は、その物品についての収納及び取り出しが繰り返されると増加され得る。このため、ユーザにとっては、物品を取り出したい場合に、その物品の過去の収納及び取り出しに関わる情報と一致（或いは略一致）する情報を収納管理システム１０（具体的には物品特定用情報取得部１４０）に対して入力してもその物品を取り出せるようになる。その物品の過去の収納及び取り出しに関わる情報は、例えば前回の取り出しについての時間情報等である。
【００７８】
［１−２−１０．  取り出し制御部１６０］
取り出し制御部１６０は、通信インタフェース、プログラムを実行するプロセッサ等により実現され、収納機構２００に、取り出し対象の物品を収納部２１０から取り出させる制御を行う。即ち、取り出し制御部１６０は、生成部１７０により生成された物品特定用文字列情報と、記録媒体１３０中の物品についての物品収納情報とが上述の所定関係を有する場合に、選出部１５０の通知を受けて、収納機構２００に、その物品を収納部２１０から取り出させる。
【００７９】
取り出し制御部１６０は、例えば、選出部１５０から通知された物品ＩＤを、収納機構２００の制御装置に通知することで、収納機構２００に物品を取り出させる制御を行う。この制御により、収納機構２００では制御装置が、収納管理情報（図４参照）に基づいて物品ＩＤから保管位置を特定し、ピッキング機構等を制御して、収納部２１０の保管位置から、物品を物品授受領域２１ｙへ移送させる。なお、住宅２０に、ユーザが取り出し対象の物品を受け取るための物品授受領域２１ｙが複数存在する場合には、物品特定用情報取得部１４０等によってユーザからその物品授受領域２１ｙの場所を示す領域情報を取得して、取り出し制御部１６０が、その領域情報を収納機構２００の制御装置に通知することとしてもよい。領域情報を通知された収納機構２００の制御装置は、その領域情報で示される物品授受領域２１ｙを移送先として、ピッキング機構等に物品を移送させるよう制御し得る。
【００８０】
［１−２−１１．  第２辞書更新部１８６］
第２辞書更新部１８６は、プログラムを実行するプロセッサ等により実現される。第２辞書更新部１８６は、物品センシング情報の中に、第１種辞書を用いて行う文字列データへの変換の変換先となる文字列データに対応しない情報が含まれている場合に、その情報に基づいて、その第１種辞書を更新する。より具体的には、第２辞書更新部１８６は、物品収納情報取得部１１０によって、ユーザが収納したい物品についての物品収納情報が取得されると、その物品収納情報のユーザ識別情報によって識別されるユーザに対応する個人用第１種辞書を更新対象の辞書とする。そして、その物品格納情報の物品センシング情報に含まれる単語（文字列）の中に、その更新対象とする個人用第１種辞書において、対応するバリッドビットが“０”となる単語があるか否かを判定する。そして、対応するバリッドビットが“０”となる単語があると判定する場合には、そのバリッドビットを“１”にして、更新対象の個人用第１種辞書を更新する。
【００８１】
これにより、収納した人物に対応する個人用第１種辞書は、その人物によって収納部２１０に収容されている物品に対応する物品収納情報の物品センシング情報に含まれる単語について、対応するバリッドビットが“１”となるようにカスタマイズされる。
【００８２】
［１−２−１２．  第１辞書更新部１８５］
第１辞書更新部１８５は、プログラムを実行するプロセッサ等により実現される。第１辞書更新部１８５は、収納部２１０に収納されている物品に係る情報以外の情報が、第１種辞書の変換対象から除外されるように、第１種辞書を更新する。より具体的には、第１種辞書に対して、収納部２１０に収容されている物品に対応する物品収納情報に含まれる物品センシング情報に含まれる単語（文字列）のみについて、対応するバリッドビットが“１”となるように、第１種辞書を更新する。
【００８３】
第１辞書更新部１８５は、例えば、取り出し制御部１６０によって、取り出し対象の物品が収納部２１０から取り出される毎に、その取り出し対象の物品に対応する、記録媒体１３０に記憶される物品収納情報を調べる。そして、その物品収納情報の物品センシング情報に含まれる単語（文字列）のうち、他の物品収納情報の物品センシング情報に含まれない単語がある場合には、その単語を特定する。そして、第１種辞書記憶部１８０に記憶される各第１種辞書に対して、特定した単語に対応するバリッドビットを“０”にして更新する。
【００８４】
これにより、第１種辞書記憶部１８０に記憶される各第１種辞書は、収納部２１０に収容されている物品に対応する物品収納情報の物品センシング情報に含まれる単語のみについて、対応するバリッドビットが“１”となるようにカスタマイズされる。
【００８５】
［２．  収納管理システム１０の動作］
以下、上述した構成を備える収納管理システム１０の動作について説明する。収納管理システム１０における収納管理方法を行うための処理は、主に、収納処理、及び、取り出し処理である。
【００８６】
［２−１．  収納処理］
図９は、収納管理システム１０による収納処理の一例を示すフローチャートである。以下、同図に即して収納処理を説明する。
【００８７】
ここでは、ある会合等（Ａ会）に参加して物品（青いＴシャツ）を取得したユーザ（住宅２０の住人である父）が帰宅して、その物品を収納管理システム１０により収納したいので、物品授受領域２１ｘ（住宅２０のリビングルームの物品授受領域２１ｄ）に物品を入れる例を用いて説明する。物品授受領域２１ｄは、単なる空きスペースであってもよいし、物品を収納する引き出し、箱、或いは物品を投入するダクト等が備えられていてもよい。
【００８８】
収納管理システム１０の物品収納情報取得部１１０は、ユーザによるユーザインタフェースとしての入力装置等の操作、或いは、物品授受領域２１ｘに対するセンサでのセンシング等によって、住宅２０の物品授受領域２１ａ〜２１ｈのいずれかである物品授受領域２１ｘに収納対象の物品が入れられたか否かを判別する（ステップＳ１１）。ユーザによって物品授受領域２１ｘに収納対象の物品が入れられた場合に限り、収納管理システム１０ではステップＳ１２以降の処理を実行する。
【００８９】
ユーザによって物品授受領域２１ｘに収納対象の物品（青いＴシャツ）が入れられた場合に、物品収納情報取得部１１０は、センサ（イメージセンサ、重量センサ等）による物品のセンシングにより物品センシング情報を取得する（ステップＳ１２）。例えば、Ｔシャツ等といった衣類である物品の特徴的な形状をイメージセンサが適切に撮像し易いように、ユーザはＴシャツ等の物品を、物品授受領域２１ｘに適切な形状にして置くこととしてもよい。
【００９０】
続いて、物品収納情報取得部１１０は、物品（青いＴシャツ）を収納しようとするユーザの入力（例えば、Ａ大会参加記念Ｔシャツという音声の入力等）を受けて入力情報を取得する。
【００９１】
一方、ユーザ識別部１９０は、物品（青いＴシャツ）を収納しようとするユーザが「父」であることを識別し、そのユーザ（父）を識別するユーザ識別情報を生成する。そして、物品収納情報取得部１１０は、その生成されたユーザ識別情報を取得し、その物品が入れられたリビングルームの物品授受領域２１ｄを示す領域情報を取得し、その収納の日時を示す収納時情報等を取得する（ステップＳ１３）。
【００９２】
次に、第２辞書更新部１８６は、第１種辞書記憶部１８０に記憶される第１種辞書を更新する第２辞書更新処理を行う（ステップＳ１４）。図１０に第２辞書更新処理の一例を示す。
【００９３】
ここで、図１０に即して第２辞書更新処理を説明する。第２辞書更新部１８６は、ユーザ識別部１９０によって識別されたユーザ識別情報によって識別されるユーザ（父）に対応する個人用第１種辞書（父用第１種辞書）を更新対象の第１種辞書として特定する（ステップＳ１４１）。続いて、第２辞書更新部１８６は、物品収納情報取得部１１０によって取得された物品センシング情報に含まれる単語（文字列）の中に、特定した第１種辞書において、対応するバリッドビットが“０”となる単語があるか否かを判定する（ステップＳ１４２）。
【００９４】
ステップＳ１４２で、対応するバリッドビットが“０”となる単語があると判定された場合に、第２辞書更新部１８６は、その単語に対応するバリッドビットを“１”にして、特定した第１種辞書を更新する（ステップＳ１４３）。
【００９５】
ステップＳ１４３の処理が終了した場合、及びステップＳ１４２で、対応するバリッドビットが“０”となる単語があると判定された場合に、第２辞書更新処理は終了する。
【００９６】
再び、図９に即した説明に戻る。ステップＳ１４での第２辞書更新部１８６による第２辞書更新処理が終了すると、物品収納情報取得部１１０は、収納対象の物品は過去に収納した物品と同一か否かを判定する（ステップＳ１５）。この判定（物品の同一性の判定）は、例えば、ステップＳ１２で取得された物品センシング情報と同等の物品センシング情報（例えばステップＳ１２で、イメージセンサで生成された画像と同じ画像特徴を有する画像等）を含む物品収納情報を記録媒体１３０から検索し、検索に成功するか否かにより、行われる。この検索には、例えばステップＳ１３で取得された入力情報等を利用してもよい。物品の同一性の判定として、画像マッチングを用いてもよいし、いかなる方法を用いてもよく、その同一性の判定に必要な情報を物品収納情報に含めておくことが有用である。
【００９７】
ステップＳ１５で、収納対象の物品は過去に収納した物品と同一であると判定した場合には、物品収納情報取得部１１０は、その物品についての過去の収納及び取り出しに係る情報（例えば記録媒体１３０に既に記録されているその物品についての物品収納情報及び対応する取り出し情報）を取得する（ステップＳ１６）。ステップＳ１５で、収納対象の物品は過去に収納した物品と同一でないと判定した場合には、物品収納情報取得部１１０は、ステップＳ１６での処理をスキップする。
【００９８】
次に、物品収納情報取得部１１０は、例えば、収納部２１０に収納される物品毎に物品ＩＤを異ならせるための一定基準（例えば物品ＩＤの生成の都度、昇順に連番を物品ＩＤとする等の基準）に基づいてその物品についての物品ＩＤを生成すること等により、物品ＩＤを取得（特定）する（ステップＳ１７）。なお、ステップＳ１６で、過去に収納した物品の物品収納情報を取得した場合においては、その物品収納情報に含まれる物品ＩＤをステップＳ１７で特定することとしてもよい。
【００９９】
次に、収納制御部１２０は、例えば物品収納情報取得部１１０がステップＳ１７で特定した物品ＩＤ、物品授受領域２１ｄを示す領域情報等を収納機構２００の制御装置に送信することで、物品授受領域２１ｘとしての物品授受領域２１ｄに入れられた物品（青いＴシャツ）を収納させるよう収納機構２００を制御する（ステップＳ１８）。これにより、収納機構２００では制御装置により、ピッキング機構等が制御されて物品（青いＴシャツ）が収納部２１０の空きスペース等に収納（保管）される。そして、その物品についての物品ＩＤと保管位置とが収納管理情報（図４参照）において対応付けられて管理される。
【０１００】
また、物品収納情報取得部１１０は、収納対象の物品（青いＴシャツ）についての物品収納情報（物品センシング情報、入力情報、ユーザ識別情報、領域情報、収納時情報、過去の収納及び取り出しに係る情報、物品ＩＤ等）を、記録媒体１３０に記録する（ステップＳ１９）。収納管理システム１０では、ステップＳ１９での処理が終われば再びステップＳ１１に戻って、他の収納すべき物品が物品授受領域２１ｘに入れられたか否かの判別（つまり他の収納対象の物品の待機）が行われる。
【０１０１】
このような収納管理システム１０の収納処理によって、ユーザは、収納したい物品の収納場所（つまり収納部２１０の中）を意識する必要がなくなる。即ち、ユーザは、収納したい物品をどの場所に収納すべきかについて考える必要がなく、収納部２１０の中の特定の保管位置に物品を置きに行く必要がない。また、ユーザは、特に意識せずとも、その収納する物品を取り出す際に利用する自分用の第１種辞書を、取り出す際になされるマッチング処理においてマッチングする確率が高くなる辞書へとカスタマイズすることができる。
【０１０２】
［２−２．  取り出し処理］
図１１は、収納管理システム１０による取り出し処理の一例を示すフローチャートである。以下、同図に即して取り出し処理を説明する。
【０１０３】
ここでは、収納管理システム１０によって上述の物品（青いＴシャツ）を収納したユーザ（住宅２０の住人である父）が、ある日の朝にその物品（青いＴシャツ）を着るために取り出そうとする例を用いて説明する。
【０１０４】
収納管理システム１０の物品特定用情報取得部１４０は、ユーザによるマイク（収音装置）等の操作によって、ユーザから、音声データからなる物品特定用情報を取得する（ステップＳ２１）。ユーザは、例えば、取り出したい物品（青いＴシャツ）を示す情報を入力等する。例えば、ユーザは、青い記念シャツ等という音声で入力を行ってもよい。また、ユーザは、例えば、取り出したい物品を収納した際の情報（例えば夕方リビングルームで収納したこと等）を音声で入力してもよい。
【０１０５】
一方、ユーザ識別部１９０は、物品（青いＴシャツ）を取り出そうとするユーザが「父」であることを識別し、そのユーザ（父）を識別するユーザ識別情報を生成する。
【０１０６】
物品特定用情報取得部１４０は、ユーザによる入力装置等の操作、或いは、ユーザに対するセンサでのセンシング等によって、取り出しの時間についての時間情報等を取得し、ユーザ識別部１９０によって生成されたユーザ識別情報を取得する（ステップＳ２２）。
【０１０７】
次に、生成部１７０は、物品特定用情報取得部１４０によって取得された、音声データからなる物品特定用情報に対して、音声認識処理を行い、文字列データからなる物品特定用文字列情報を生成する生成処理を行う（ステップＳ２３）。図１２に生成処理の一例を示す。
【０１０８】
ここで、図１２に即して生成処理を説明する。生成部１７０は、ユーザ識別部１９０によって識別されたユーザ識別情報によって識別されるユーザ（父）に対応する個人用第１種辞書（父用第１種辞書）を、音声認識処理に利用する第１種辞書として選択する（ステップＳ２３１）。続いて、生成部１７０は、選択した第１種辞書を用いて音声認識処理を行い、文字列データからなる物品特定用文字列情報の生成を試みる（ステップＳ２３２）。そして、生成部１７０は、その試みの中で、物品特定用情報の中に、第１種辞書を用いて文字列データに変換できない音声データが含まれているか否かを判定する（ステップＳ２３３）。
【０１０９】
ステップＳ２３３で、第１種辞書を用いて文字列データに変換できない音声データが含まれていると判定された場合に、生成部１７０は、この音声データに対して用いる辞書を、第１種辞書から第２種辞書へ替えて、物品特定用文字列情報の生成を行う（ステップＳ２３４）。
【０１１０】
ステップＳ２３３で、第１種辞書を用いて文字列データに変換できない音声データが含まれていると判定されなかった場合に、生成部１７０は、選択した第１種辞書を用いて、物品特定用文字列情報の生成を行う（ステップＳ２３５）。
【０１１１】
ステップＳ２３３の処理が終了した場合、及びステップＳ２３４の処理が終了した場合に、生成処理は終了する。
【０１１２】
再び、図１１に即した説明に戻る。ステップＳ２３での生成部１７０による生成処理が終了すると、選出部１５０は、ステップＳ２３で生成部１７０が生成した物品特定用文字列情報と所定関係を有する物品収納情報を、記録媒体１３０中から検索する選出処理を行う（ステップＳ２４）。図１３に選出処理の一例を示す。
【０１１３】
ここで、図１３に即して選出処理を説明する。選出部１５０は、物品特定用文字列情報に第１変換を施して第１変換情報（例えば１つ又は複数のキーワード等）を導出する（ステップＳ２４１）。続いて、選出部１５０は、記録媒体１３０中の物品収納情報のうち、その物品収納情報に第２変換を施して生成される第２変換情報（例えばキーワード等）が第１変換情報と一致するものを検索する（ステップＳ２４２）。そして、選出部１５０は、第１変換情報と一致した第２変換情報の生成の基礎となる物品収納情報を選出する（ステップＳ２４３）。なお、選出部１５０は、例えば上述した限定方法等により、１つだけの物品収納情報が選出されるようにしてもよい。なお、ステップＳ２４２で第１変換情報と第２変換情報とが一致する物品収納情報の検索に失敗した場合において、タッチパネル等のユーザインタフェースを介して、ユーザから、物品特定用情報として追加されることとなる追加情報の入力を受け付けてもよい。
【０１１４】
再び、図１１に即した説明に戻る。ステップＳ２４での選出部１５０による選出処理の後に、取り出し制御部１６０は、選出部１５０によって選出された物品収納情報に対応する物品を取り出させるように収納機構２００を制御する（ステップＳ２５）。即ち、取り出し制御部１６０は、選出された物品収納情報における物品ＩＤを収納機構２００の制御装置に送信することで、収納機構２００に物品を取り出させる。物品ＩＤを受信すると、収納機構２００の制御装置は、ピッキング機構等を制御して、収納管理情報においてその物品ＩＤに対応して管理されている保管位置から物品を、物品授受領域２１ｙへ移送させる。
【０１１５】
次に、物品特定用情報取得部１４０は、取り出し情報記録機能を実行する。つまり、物品特定用情報取得部１４０は、取り出した物品についてのステップＳ２１、Ｓ２２で取得された取り出し情報（物品特定用情報、ユーザ識別情報、時間情報等）を、記録媒体１３０中のその物品についての物品収納情報と対応付けて記録する（ステップＳ２６）。
【０１１６】
最後に、第１辞書更新部１８５は、第１種辞書記憶部１８０に記憶される第１種辞書を更新する第１辞書更新処理を行う（ステップＳ２７）。図１４に第１辞書更新処理の一例を示す。
【０１１７】
ここで、図１４に即して第１辞書更新処理を説明する。第１辞書更新部１８５は、取り出した物品に対応する、記録媒体１３０に記憶される物品収納情報を調べる。そして、その物品収納情報の物品センシング情報に含まれる単語（文字列）のうち、他の物品収納情報の物品センシング情報に含まれない単語があるか否かを判定する（ステップＳ２７１）。
【０１１８】
ステップＳ２７１で、その物品収納情報の物品センシング情報に含まれる単語（文字列）のうち、他の物品収納情報の物品センシング情報に含まれない単語があると判定された場合には、第１辞書更新部１８５は、その単語を特定する。そして、第１辞書更新部１８５は、第１種辞書記憶部１８０に記憶される各第１種辞書に対して、特定した単語に対応するバリッドビットを“０”にして更新する（ステップＳ２７２）。
【０１１９】
ステップＳ２７２の処理が終了した場合、及びステップＳ２７１の処理で、その物品収納情報の物品センシング情報に含まれる単語のうち、他の物品収納情報の物品センシング情報に含まれない単語があると判定されなかった場合に、第１辞書更新処理は終了する。
【０１２０】
このような収納管理システム１０の取り出し処理によって、ユーザは、取り出したい物品が収納（保管）されている場所（つまり収納部２１０の中）を意識する必要がなくなる。即ち、ユーザは、収納された物品の位置（保管位置）を記憶しておく必要がなく、物品の保管位置を探して物品を取り出すために収納部２１０の中の保管位置に行く必要がない。
【０１２１】
また、この取り出し処理では、ユーザは、生成部１７０が行う音声認識処理において、マッチング処理の対象となる音声データの数が抑制されるようにカスタマイズされた自分専用の辞書を利用することができる。このため、この取り出し処理を利用するユーザは、このようにカスタマイズされた辞書を利用せずに物品の取り出しを行う場合に比べて、より短時間で物品を取り出し得る。
【０１２２】
（他の実施の形態等）
以上、実施の形態１により収納管理システム１０及び収納管理方法について説明したが、上述した実施の形態は一例に過ぎず、各種の変更、付加、省略等が可能であることは言う迄もない。
【０１２３】
上記実施の形態では、第１種辞書及び第２種辞書が、音声データを文字列データに変換するための辞書であるとして説明した。これに対して、他の一例として、第１種辞書及び第２種辞書が、画像データを文字列データに変換するための辞書である例も考えられる。この例の場合には、物品特定用情報取得部１４０は、取り出し対象の物品に何らかの関連を有する画像データを含む物品特定用情報を取得するとしてもよい。物品特定用情報取得部１４０は、例えば、イメージセンサを備え、物品に係る撮像を行うことで、物品特定用情報を取得する。物品に係る撮像の例として、例えば、物品が映っている写真を撮像する例、物品に係るジェスチャ（動作）を撮像する例等が考えられるが、これらの例に限定される必要はない。
【０１２４】
また、別の他の一例として、第１種辞書及び第２種辞書が、筆跡データを文字列データに変換するための辞書である例も考えられる。この例の場合には、物品特定用情報取得部１４０は、取り出し対象の物品に何らかの関連を有する筆跡データを含む物品特定用情報を取得するとしてもよい。物品特定用情報取得部１４０は、例えば、タッチパネルを備え、物品に係る筆跡入力を受け付けることで、物品特定用情報を取得する。物品に係る筆跡入力の一例として、例えば、物品の名称、物品の特徴等を示す手書き文字の入力等が考えられるが、これらの例に限定される必要はない。
【０１２５】
また、上記実施の形態では、第１種辞書は。第２種辞書に対して、バリッドビットの行が追加されるようにカスタマイズされた辞書であるとして説明した。しかしながら、第１種辞書は、物品収納情報取得部１１０によって取得された物品納入情報に基づいて生成された辞書であれば、必ずしも第２種辞書に対してカスタマイズされた辞書である必要はない。例えば、第１種辞書は、物品収納情報取得部１１０によって取得された物品納入情報のみに基づいてゼロから生成された辞書であっても構わない。
【０１２６】
また、上記実施の形態では、収納管理システム１０が２階建ての住宅２０に適用された例を示したが、住宅以外の施設（例えば、オフィス、店舗、病院等）に適用されてもよい。また、住宅に適用される場合において、住宅は何階建てでもよいし、住宅は戸建て住宅でも集合住宅でも集合住宅の住戸でもよい。また、収納管理システム１０のユーザは、住宅の住人に限られず、住人以外の者であってもよく、人を補助或いは代理するロボット等であってもよい。また、上記実施の形態では、収納部２１０が、住宅２０の床下にある例を示したが、床下に限定されず、いかなる場所に所在してもよい。
【０１２７】
また、上記実施の形態では、収納管理システム１０が収納機構２００及び収納部２１０を包含する例を示したが、収納管理システム１０は、収納機構２００及び収納部２１０を包含しなくてもよい。収納管理システム１０が収納機構２００を包含しない場合において、収納機構２００の制御装置が管理する収納管理情報は、収納管理システム１０における記録媒体１３０とは別の記録媒体（例えば制御装置に備えられたハードディスク、不揮発性メモリ等）に記録され得る。また、収納管理システム１０が収納機構２００を包含する場合において、収納機構２００の制御装置を、収納管理システム１０を構成するコンピュータシステム内に含めてもよい。この場合においては、収納制御部１２０或いは取り出し制御部１６０は、制御装置との情報（例えば物品ＩＤ等）の授受を省略して、収納機構２００におけるピッキング機構等の制御を行うことが可能となる。
【０１２８】
また、上記実施の形態で示した各構成要素（例えば物品収納情報取得部１１０、収納制御部１２０、物品特定用情報取得部１４０、選出部１５０、取り出し制御部１６０、収納機構２００の制御装置等）の機能分担は上述の例に限られ得ず、任意に分担を変更し得る。例えば、物品特定用情報取得部１４０が取り出し情報記録機能を有することとしたが、収納管理システム１０は、物品特定用情報取得部１４０以外に取り出し情報記録機能を担う取り出し情報記録部を有することとしてもよい。また、収納管理システム１０を構成するコンピュータシステムは、１台又は複数台の装置（コンピュータ）で構成され得る。このコンピュータシステムで実現される物品収納情報取得部１１０、収納制御部１２０、物品特定用情報取得部１４０、選出部１５０、及び、取り出し制御部１６０といった各構成要素の担う機能の一部を、収納管理システム１０に係るコンピュータシステム以外のサーバ装置等に分担させてもよい。また、記録媒体１３０は、収納管理システム１０に係るコンピュータシステムからアクセス可能であればこのコンピュータシステムの外部に所在すること（例えばインターネット等を介して通信可能なサーバ装置内等に所在すること等）としてもよい。
【０１２９】
また、上述の収納管理システム１０における処理手順（図９〜図１４に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図９〜図１４に示す手順等）の全部又は一部は、ハードウェアにより実現されても、ソフトウェアを用いて実現されてもよい。例えば、収納管理システム１０は、コンピュータシステムの代わりに、ソフトウェア（プログラム）を含まないハードウェアのみで構成されるシステムを含むこととしてもよい。また、収納管理システム１０がコンピュータシステムのプロセッサで実行するプログラムを記録媒体に記録して頒布、流通等させてもよい。例えば、頒布されたプログラムをコンピュータにインストールして、プロセッサに実行させることで、コンピュータに図９〜図１４に示した処理手順の全部又は一部を行わせることが可能となる。
【０１３０】
また、上記実施の形態及び変形態様等で示した構成要素及び機能を、任意に組み合わせることで実現される形態も本発明の範囲に含まれる。
【０１３１】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１３２】
以下、本発明の一態様に係る収納管理システム、収納管理方法及びプログラムについての構成、変形態様、効果等について示す。
【０１３３】
（１）本発明の一態様に係る収納管理システムは、収納対象の物品のセンシングに基づくセンシング情報を含む、当該物品についての識別のための物品収納情報を、収納に際して取得して記録媒体に記録する第１取得部と、収納機構に、収納対象の物品を収納部へ収納させる第１制御部と、ユーザから取り出し対象の物品についての物品特定用情報を取得する第２取得部と、変換対象となる情報を文字列データに変換するための第１種辞書を記憶する第１種辞書記憶部と、前記第１種辞書を用いて、前記第２取得部によって取得された物品特定用情報から、前記取り出し対象の物品に係る文字列データからなる物品特定用文字列情報を生成する生成部と、前記生成部によって生成された物品特定用文字列情報と、前記記録媒体中の一の物品についての物品収納情報とが所定関係を有する場合に、前記収納機構に、当該一の物品を前記収納部から取り出させる第２制御部とを備え、前記第１種辞書は、前記第１取得部によって取得された物品納入情報に基づいて生成された辞書であることを特徴とする。
【０１３４】
これにより、この収納管理システムを利用するユーザは、第１取得部によって取得された物品納入情報に基づいてカスタマイズされた辞書を、物品特定用文字列情報の生成において用いられる第１種辞書とすることができるようになる。
【０１３５】
このため、この収納管理システムによると、従来よりも、収納中の物品を取り出すまでに掛かる時間を短縮し得る。
【０１３６】
（２）例えば、前記物品特定用情報は、前記取り出し対象の物品に係る音声データを含み、前記第１種辞書は、音声データを文字列データに変換するための辞書であるとしてもよい。
【０１３７】
これにより、この収納管理システムを利用するユーザは、音声を利用して物品を取り出すことができるようになる。
【０１３８】
（３）例えば、前記物品特定用情報は、前記取り出し対象の物品に係る画像データを含み、前記第１種辞書は、画像データを文字列データに変換するための辞書であるとしてもよい。
【０１３９】
これにより、この収納管理システムを利用するユーザは、画像を利用して物品を取り出すことができるようになる。
【０１４０】
（４）例えば、前記物品特定用情報は、前記取り出し対象の物品に係る文字の筆跡データを含み、前記第１種辞書は、筆跡データを文字列データに変換するための辞書であるとしてもよい。
【０１４１】
これにより、この収納管理システムを利用するユーザは、筆跡を利用して物品を取り出すことができるようになる。
【０１４２】
（５）例えば、さらに、変換対象となる情報を文字列データに変換するための第２種辞書を記憶する第２種辞書記憶部を備え、前記生成部は、前記第１種辞書を用いて前記物品特定用文字列情報の生成を行う場合において、前記第２取得部によって取得された物品特定用情報の中に、前記第１種辞書を用いて文字列データに変換できない情報が含まれているときには、当該情報に対して用いる辞書を、前記第１種辞書から前記第２種辞書へ替えて、前記物品特定用文字列情報の生成を行うとしてもよい。
【０１４３】
これにより、この収納管理システムは、物品特定用情報の中に、第１種辞書を用いて文字列データに変換することができない情報が含まれている場合であっても、その物品特定用情報から、物品特定用文字列情報を生成することができるようになる。
【０１４４】
（６）例えば、さらに、ユーザを識別するユーザ識別部を備え、前記第１種辞書には、複数の個人用辞書が含まれ、前記生成部は、前記ユーザ識別部によってユーザが識別された場合に、当該識別されたユーザに応じて前記複数の個人用辞書の中から１つの個人用辞書を選択し、当該選択した個人用辞書を用いて、前記物品特定用文字列情報の生成を行うとしてもよい。
【０１４５】
これにより、この収納管理システムを利用するユーザのそれぞれは、自分専用にカスタマイズされた個人用辞書を、物品特定用文字列情報の生成において用いられる第１種辞書として利用することができるようになる。
【０１４６】
（７）例えば、さらに、前記収納部に収納されている物品に係る情報以外の情報が、前記第１種辞書の変換対象となる情報から除外されるように、前記第１種辞書を更新する第１辞書更新部を備え、前記生成部は、前記辞書更新部によって更新された前記第１種辞書を用いて、前記物品特定用文字列情報の生成を行うとしてもよい。
【０１４７】
これにより、この収納管理システムは、収納中の物品を取り出すまでに掛かる時間を、さらに短縮し得るようになる。
【０１４８】
（８）例えば、さらに、前記センシング情報の中に、前記第１種辞書を用いて行う文字列データへの変換の変換先となる文字列データに対応しない情報が含まれている場合に、当該情報に基づいて、当該第１種辞書を更新する第２辞書更新部を備えるとしてもよい。
【０１４９】
これにより、この収納管理システムは、収納されたことがある物品を取り出す際において、その物品についての物品特定用情報の中に、第１種辞書を用いて文字列データに変換することができない情報が含まれている可能性を低減することができるようになる。
【０１５０】
（９）本発明の一態様に係る収納管理方法は、収納機構を用いて物品を収納して管理するための収納管理方法であって、収納対象の物品のセンシングに基づくセンシング情報を含む、当該物品についての識別のための物品収納情報を、収納に際して取得する第１取得ステップと、前記第１取得ステップで取得した物品収納情報を記録媒体に記録する記録ステップと、前記収納機構に、収納対象の物品を収納部へ収納させる第１制御ステップと、前記収納機構のユーザから取り出し対象の物品についての物品特定用情報を取得する第２取得ステップと、変換対象となる情報を文字列データに変換するための第１種辞書を用いて、前記第２取得ステップで取得された物品特定用情報から、前記取り出し対象の物品に係る文字列データからなる物品特定用文字列情報を生成する生成ステップと、前記生成ステップで生成された物品特定用文字列情報と、前記記録媒体中の一の物品についての物品収納情報とが所定関係を有する場合に、前記収納機構に、当該一の物品を前記収納部から取り出させる第２制御ステップとを含み、前記第１種辞書は、前記第１取得ステップで取得された物品納入情報に基づいて生成された辞書であることを特徴とする。
【０１５１】
これにより、この収納管理方法を利用するユーザは、第１取得ステップにおいて取得された物品納入情報に基づいてカスタマイズされた辞書を、物品特定用文字列情報の生成において用いられる第１種辞書とすることができるようになる。
【０１５２】
このため、この収納管理方法によると、従来よりも、収納中の物品を取り出すまでに掛かる時間を短縮し得る。
【０１５３】
（１０）本発明の一態様に係るプログラムは、収納機構を用いて物品を収納して管理するための収納管理処理をコンピュータに実行させるためのプログラムであって、前記実行管理処理は、収納対象の物品のセンシングに基づくセンシング情報を含む、当該物品についての識別のための物品収納情報を、収納に際して取得する第１取得ステップと、前記第１取得ステップで取得した物品収納情報を記録媒体に記録する記録ステップと、前記収納機構に、収納対象の物品を収納部へ収納させる第１制御ステップと、前記収納機構のユーザから取り出し対象の物品についての物品特定用情報を取得する第２取得ステップと、変換対象となる情報を文字列データに変換するための第１種辞書を用いて、前記第２取得ステップで取得された物品特定用情報から、前記取り出し対象の物品に係る文字列データからなる物品特定用文字列情報を生成する生成ステップと、前記生成ステップで生成された物品特定用文字列情報と、前記記録媒体中の一の物品についての物品収納情報とが所定関係を有する場合に、前記収納機構に、当該一の物品を前記収納部から取り出させる第２制御ステップとを含み、前記第１種辞書は、前記第１取得ステップで取得された物品納入情報に基づいて生成された辞書であることを特徴とする。
【０１５４】
これにより、このプログラムを利用するユーザは、第１取得ステップにおいて取得された物品納入情報に基づいてカスタマイズされた辞書を、物品特定用文字列情報の生成において用いられる第１種辞書とすることができるようになる。
【０１５５】
このため、このプログラムによると、従来よりも、収納中の物品を取り出すまでに掛かる時間を短縮し得る。
【符号の説明】
【０１５６】
１０  収納管理システム
２０  住宅
２１ａ〜２１ｈ、２１ｘ、２１ｙ〜２１ｈ  物品授受領域
１１０  物品収納情報取得部（第１取得部）
１２０  収納制御部（第１制御部）
１３０  記録媒体
１４０  物品特定用情報取得部（第２取得部）
１５０  選出部
１６０  取り出し制御部（第２制御部）
１７０  生成部
１８０  第１種辞書記憶部
１８１  第２種辞書記憶部
１８５  第１辞書更新部
１８６  第２辞書更新部
１９０  ユーザ識別部
２００  収納機構
２１０  収納部
【図１】
2020063102.tif 000003
【図２】
2020063102.tif 000004
【図３】
2020063102.tif 000005
【図４】
2020063102.tif 000006
【図５】
2020063102.tif 000007
【図６】
2020063102.tif 000008
【図７Ａ】
2020063102.tif 000009
【図７Ｂ】
2020063102.tif 000010
【図８】
2020063102.tif 000011
【図９】
2020063102.tif 000012
【図１０】
2020063102.tif 000013
【図１１】
2020063102.tif 000014
【図１２】
2020063102.tif 000015
【図１３】
2020063102.tif 000016
【図１４】
2020063102.tif 000017